(57)【要約】【課題】器具本体内での配線構造を簡素化できるとともに配線へのノイズの影響を低減できる照明器具を提供する。【解決手段】器具本体11には、第１の方向ａに光源収容部20と電源収容部21とが並設されているとともに、電源収容部21の第１の方向ａに直交する第２の方向ｂの一端側に電源線を含む外部配線が連通する外部配線挿通部26が設けられている。電源部44は、電源収容部21に配置され、第２の方向ｂの一端側に電源線が接続される外部電源入力部47が設けられているとともに、第２の方向ｂの他端側に点灯電源出力部48が設けられている。電源部44は、外部電源入力部47に入力される外部電源を所定の点灯電源に変換して点灯電源出力部48から出力する。光源ユニット12は、光源収容部20に配置され、第２の方向ｂの他端側に電源部44から点灯電源が供給される点灯電源入力部38が設けられている。【選択図】図１
2018133234.tif 000002
【特許請求の範囲】
【請求項１】
第１の方向に光源収容部と電源収容部とが並設されているとともに、前記電源収容部の前記第１の方向に直交する第２の方向の一端側に電源線を含む外部配線が連通する外部配線挿通部が設けられた器具本体と；
前記電源収容部に配置され、前記第２の方向の一端側に前記電源線が接続される外部電源入力部が設けられているとともに、前記第２の方向の他端側に点灯電源出力部が設けられ、前記外部電源入力部に入力される外部電源を所定の点灯電源に変換して前記点灯電源出力部から出力する電源部と；
前記光源収容部に配置され、前記第２の方向の他端側に前記電源部から前記点灯電源が供給される点灯電源入力部が設けられた光源ユニットと；
を具備することを特徴とする照明器具。
【請求項２】
前記電源部は、
前記外部電源入力部が設けられ、サージを吸収するサージアブソーバ基板と、
前記第２の方向の一端側が前記サージアブソーバ基板に接続されているとともに、前記第２の方向の他端側に前記点灯電源出力部が設けられ、前記外部電源を前記光源ユニットに供給する前記点灯電源に変換する電源基板とを有する
ことを特徴とする請求項１記載の照明器具。
【請求項３】
前記サージアブソーバ基板は、前記外部電源に接続されるヒューズを有するサージアブソーバ回路を備え、前記ヒューズよりも下流側の回路位置から前記外部電源を前記電源基板に出力し、
前記電源基板は、前記サージアブソーバ基板から入力する前記外部電源を前記光源ユニットに供給する前記点灯電源に変換する電源回路を備え、前記電源基板の表面のヒューズ定格電流が表示されているヒューズ実装位置にはジャンパ線が接続されている
ことを特徴とする請求項２記載の照明器具。
【請求項４】
前記外部配線は、調光線を有し、
前記電源部は、前記調光線が接続される調光用サージアブソーバ基板を備える
ことを特徴とする請求項２または３記載の照明器具。
【発明の詳細な説明】
【技術分野】
【０００１】
本発明の実施形態は、器具本体内に光源ユニットおよび電源ユニットを配設する照明器具に関する。
【背景技術】
【０００２】
従来、器具本体内に光源ユニットおよびこの光源ユニットに電源を供給する電源ユニットを配設する照明器具がある。
【０００３】
このような照明器具では、器具本体の外部配線を引き込む位置、器具本体内に配設される光源ユニットおよび電源ユニットの各位置等によっては、器具本体内での配線の長さが長くなったり配線の取り回しが煩雑になることがある。さらに、器具本体内の配線が電源ユニットの備えるスイッチング素子の近くを通るような配置となり、配線へのスイッチングノイズ等のノイズの影響が生じるおそれもある。
【先行技術文献】
【特許文献】
【０００４】
【特許文献１】特開２０１３−３１３５０号公報
【発明の概要】
【発明が解決しようとする課題】
【０００５】
本発明が解決しようとする課題は、器具本体内での配線構造を簡素化できるとともに配線へのノイズの影響を低減できる照明器具を提供することである。
【課題を解決するための手段】
【０００６】
実施形態の照明器具は、器具本体、電源部および光源ユニットを備える。器具本体には、第１の方向に光源収容部と電源収容部とが並設されているとともに、電源収容部の第１の方向に直交する第２の方向の一端側に電源線を含む外部配線が連通する外部配線挿通部が設けられている。電源部は、電源収容部に配置され、第２の方向の一端側に電源線が接続される外部電源入力部が設けられているとともに、第２の方向の他端側に点灯電源出力部が設けられている。電源部は、外部電源入力部に入力される外部電源を所定の点灯電源に変換して点灯電源出力部から出力する。光源ユニットは、光源収容部に配置され、第２の方向の他端側に電源部から点灯電源が供給される点灯電源入力部が設けられている。
【発明の効果】
【０００７】
本発明によれば、器具本体内での配線構造を簡素化できるとともに配線へのノイズの影響を低減することが期待できる。
【図面の簡単な説明】
【０００８】
【図１】第１の実施形態を示す照明器具の器具本体内での電源の流れを説明する正面図である。
【図２】同上照明器具の分解状態の斜視図である。
【図３】同上照明器具の組立過程の斜視図である。
【図４】同上照明器具の組立状態の斜視図である。
【図５】同上照明器具の断面図である。
【図６】同上照明器具の電源部に用いられるサージアブソーバ回路の回路図である。
【図７】同上電源部の電源基板の正面図である。
【図８】第２の実施形態を示す照明器具の電源部の構成図である。
【発明を実施するための形態】
【０００９】
以下、第１の実施形態を、図１ないし図７を参照して説明する。
【００１０】
図１ないし図５に照明器具10を示す。照明器具10は、器具本体11、この器具本体11内に配設される光源ユニット12および電源ユニット13、器具本体11の前面側に配設される前面カバー14、および器具本体11を支える取付アーム15等を備えている。なお、以下、図１において、照明器具10の前面側から見て、照明器具10の上下方向が第１の方向ａであり、この第１の方向ａに直交する照明器具10の幅方向（または左右方向）が第２の方向ｂである。
【００１１】
そして、器具本体11は、例えばアルミニウム等の金属製で一体成形されている。器具本体11は、前面側から見て幅方向に横長の四角形状で、前面側周囲および後面側が閉塞され、前面側のみが開口されている。器具本体11には、前面側に開口部18が形成され、内部に前方の開口部18に連通する内部空間19が形成されている。
【００１２】
器具本体11の内部空間19には、上側に光源ユニット12を収容する光源収容部20が形成され、下側に電源ユニット13を収容する電源収容部21が形成され、これら光源収容部20と電源収容部21とが上下方向に並設されている。
【００１３】
光源収容部20の後面側には、光源ユニット12を取り付けるための取付面部22が形成されている。さらに、この取付面部22の後面側には、器具本体11の後方へ突出する複数の放熱フィン23が設けられている。
【００１４】
電源収容部21は、光源収容部20よりも後方への奥行寸法が大きく形成されている。この電源収容部21を形成するように、器具本体11の後面側には突出部24が突設されている。
【００１５】
器具本体11の下面側で幅方向の一端側（図１左側）には、外部配線25を挿通するための外部配線挿通部26が設けられている。外部配線挿通部26は、器具本体11の内部と外部とを連通する挿通孔によって構成されている。外部配線25は、一対の電源線27およびアース線28を含んでおり、外部配線挿通部26にパッキング66を介して密閉状態に挿通される。
【００１６】
取付面部22の下側には、電源取付部としての複数の電源取付用ボス29と、アース線取付部としてのアース線取付用ボス30とが、それぞれ前方に対向して設けられている。アース線取付用ボス30は、外部配線挿通部26に近い器具本体11の幅方向の一端側（図１左側）に配設されている。
【００１７】
また、光源ユニット12は、光源モジュール34、およびレンズモジュール35を備えている。
【００１８】
光源モジュール34は、基板36、この基板36の表面に実装された複数の発光素子37を備えている。基板36は、幅方向に横長の長方形状に形成されており、表面には複数の発光素子37を電気的に接続する配線パターンが形成されている。発光素子37は、例えばＬＥＤであり、基板36の表面の縦横方向にそれぞれ所定の間隔をあけて複数実装されている。基板36の幅方向の他端側（図１右側）に電源ユニット13からの点灯電源が入力される点灯電源入力部38が設けられている。さらに、点灯電源入力部38は、基板36の電源ユニット13に近い位置であって、基板36の下側に設けられている。点灯電源入力部38は、例えばコネクタによって構成されている。
【００１９】
レンズモジュール35は、各発光素子37の光を所定の配光に制御する複数のレンズ39を有し、これら複数のレンズ39が一体に形成されている。
【００２０】
そして、光源ユニット12は、発光モジュール34とレンズモジュール35とを組み合わせた状態で、器具本体11の取付面部22に配置されるとともに複数のねじ40によって固定されている。
【００２１】
また、電源ユニット13は、電源部44およびこの電源部44を取り付けた取付板45を有している。電源部44は、幅方向の一端側（図１左側）に電源線27が接続される外部電源入力部47が設けられているとともに、幅方向の他端側（図１右側）に点灯電源出力部48が設けられ、外部電源入力部47に入力される外部電源（例えば交流電源）を光源ユニット12の光源モジュール34に供給する所定の点灯電源（例えば直流電源）に変換し、変換した点灯電源を点灯電源出力部48から出力するように構成されている。
【００２２】
電源部44は、サージを吸収するサージアブソーバ基板49と、外部電源を光源ユニット12の光源モジュール34に供給する点灯電源に変換する電源基板50とを有し、これらサージアブソーバ基板49および電源基板50が取付板45に一体的に取り付けられている。
【００２３】
サージアブソーバ基板49は、電源線27が接続される外部電源入力部47を備えているとともに、この外部電源入力部47に入力される外部電源に接続されてサージを吸収するサージアブソーバ回路51を備えている。外部電源入力部47は、電源線27を挿入接続する電線接続器等で構成されている。さらに、サージアブソーバ回路51は、外部電源を電源基板50へ送るための送り配線を接続する電線接続器等を備えている。なお、外部電源入力部47およびサージアブソーバ回路51は、図面には２点鎖線で示し、詳細は省略している。また、サージアブソーバ基板49の周辺部には複数の取付孔52が設けられている。
【００２４】
電源基板50は、サージアブソーバ基板49から入力する外部電源を光源ユニット12の光源モジュール34に供給する点灯電源に変換する電源回路53を備えている。電源基板50の幅方向の一端側（図１左側）には、サージアブソーバ基板49と電気的に接続される電源接続部54が設けられている。この電源接続部54には、サージアブソーバ基板49からの送り配線用の電線が挿入接続される電線接続器等が用いられている。電源基板50の幅方向の他端側（図１右側）には、点灯電源出力部48が設けられている。この点灯電源出力部48は、例えばコネクタによって構成されている。なお、電源接続部54、電源回路53および点灯電源出力部48は、図面には２点鎖線で示し、詳細は省略している。また、電源基板50の周辺部には複数の取付孔55が設けられている。
【００２５】
取付板45は、金属板によって構成されており、サージアブソーバ基板49および電源基板50を取り付ける取付板部56、およびこの取付板部56の前端側から上方へ折曲された固定板部57を備えている。取付板部56には、サージアブソーバ基板49の各取付孔52の位置および電源基板50の各取付孔55の位置に対応して、複数の取付孔58が形成されている。固定板部57には、器具本体11の各電源取付用ボス29の位置に対応して複数の固定孔59が形成されている。これら各固定孔59を挿通して各電源取付用ボス29に螺着されるねじ60により、取付板45が器具本体11に固定されるとともに電気的に接続されるように構成されている。そして、取付板45には、サージアブソーバ基板49の各取付孔52および電源基板50の各取付孔55と取付板45の各取付孔58とにそれぞれ挿通される図示しない複数の取付具により、サージアブソーバ基板49および電源基板50が絶縁状態で一体的に取り付けられている。少なくとも一部の取付具は、例えば金属製のねじであり、サージアブソーバ基板49および電源基板50のアースパターンに電気的に接続されるとともに取付板45に電気的に接続され、これらサージアブソーバ基板49および電源基板50を取付板45にアース接続するように構成されている。
【００２６】
また、前面カバー14は、前面枠63および透光部64を有している。前面枠63は、器具本体11の前面側に取り付けられ、器具本体11の前面側を閉塞している。前面枠63には、光源ユニット12に対向する上部側に窓部65が開口形成されている。透光部64は、例えば透明なガラス板によって構成されており、前面枠63の後面側にパッキング66を介して取り付けられ、窓部65を閉塞している。
【００２７】
また、取付アーム15は、断面略コ字形に形成され、両端部が器具本体11の幅方向の両側に調整ねじ68によって取り付けられている。取付アーム15は、所定の設置場所に設置され、調整ねじ68を緩めた状態で、器具本体11の角度つまり光照射方向を調整としている。
【００２８】
次に、図６にサージアブソーバ回路51の回路図を示す。
【００２９】
サージアブソーバ回路51は、外部電源である交流電源Ｅの活性側配線および非活性側配線の２線のそれぞれにヒューズF1，F2が接続され、これらヒューズF1，F2の下流側（出力側）にサージ保護素子としてのバリスタZ1，Z2が直列に接続され、これらバリスタZ1，Z2の中間端子がサージ保護素子としてのバリスタZ3を介してアース接続される。
【００３０】
ヒューズF1，F2よりも下流側（出力側）であって、ヒューズF1，F2とバリスタZ1，Z2との間に、交流電源Ｅを電源基板50に送る送り配線L1，L2を接続するための電線接続器T1，T2がそれぞれ接続されている。
【００３１】
そして、誘導雷が交流電源Ｅに侵入すると、ヒューズF1またはヒューズF2を通じてバリスタZ1，Z2間、バリスタZ1，Z3間、バリスタZ2，Z3間に印加されるが、これらバリスタZ1，Z2，Z3によってサージが所定値以下の電圧に制限され、電源基板50や光源モジュール34を保護する。る。また、サージエネルギがバリスタZ1，Z2，Z3の耐圧を超えると、ヒューズF1，F2が切れ、電源基板50や光源モジュール34を保護する。
【００３２】
また、図７に電源基板50の正面図を示す。電源基板50の幅方向の一端側（図７左側）にサージアブソーバ回路51から外部電源を入力する電源接続部54が設けられ、幅方向の他端側（図７右側）に点灯電源出力部48が設けられている。
【００３３】
電源基板50の電子部品本体を実装する実装面（配線パターン面と反対側の面）には、各電子部品の実装位置に部品種類を示す表示が印刷されている。そして、電源基板50の電源接続部54が設けられている外部電源入力側にヒューズ実装位置80があり、このヒューズ実装位置80に部品種類を示す例えば「Ｆ」が表示されている。さらに、ヒューズ実装位置80には、ヒューズ定格電流を示す例えば「（××Ａ）」が表示されている。
【００３４】
電源基板50は、サージアブソーバ基板49を必要としない他の照明器具に用いられる電源基板50と共用されている。
【００３５】
本実施形態では、サージアブソーバ基板49と共用の電源基板50とを用いているが、サージアブソーバ基板49のヒューズF1，F2の下流側の回路位置から送られる外部電源を電源基板50に入力しているため、つまり、ヒューズF1，F2を通った外部電源を電源基板50に入力しているため、電源基板50のヒューズを省略することができる。
【００３６】
そのため、電源基板50のヒューズ実装位置80には、ヒューズは実装されず、ヒューズの代わりにジャンパ線81が接続されている。
【００３７】
次に、照明器具10の組み立てについて説明する。
【００３８】
光源モジュール34およびレンズモジュール35を組み合わせた光源ユニット12を器具本体11の前面側から光源収容部20に挿入するとともに取付面部22に配置し、複数のねじ40で光源ユニット12を取付面部22に固定する。
【００３９】
電源ユニット13については、サージアブソーバ基板49および電源基板50を取付板45に固定するとともにアース接続し、かつサージアブソーバ基板49と電源基板50とを送り配線によって電気的に接続した状態に、一体的に組み立てておく。
【００４０】
この電源ユニット13を器具本体11の前面側から電源収容部21に挿入し、取付板45の固定板部57を電源取付用ボス29の前面側に配置し、複数のねじ60を固定板部57の各固定孔59を通じて各電源取付用ボス29に螺着する。これにより、取付板45が器具本体11に固定され、電源ユニット13が器具本体11の電源収容部21の所定位置に収容されるとともに、取付板45が器具本体11に電気的に接続されてアース接続される。したがって、サージアブソーバ基板49および電源基板50が取付板45を介して器具本体11にアース接続される。
【００４１】
光源モジュール34の点灯電源入力部38と電源基板50の点灯電源出力部48とをコネクタ付配線等によって接続する。
【００４２】
最後に、前面カバー14を器具本体11の前面側に取り付ける。
【００４３】
そして、照明器具10の設置時には、前面カバー14を器具本体11から外した状態で、外部配線25を器具本体11の外部配線挿通部26から器具本体11内に引き込む。
【００４４】
引き込んだ外部配線25の電源線27をサージアブソーバ基板49の外部電源入力部47（電線接続器等）に接続する。
【００４５】
引き込んだ外部配線25のアース線28には圧着端子を装着し、ねじ70を圧着端子を通じてアース線取付用ボス30に螺着することにより（図２参照）、圧着端子をアース線取付用ボス30に固定するとともにアース線28を器具本体11に電気的に接続する。これにより、サージアブソーバ基板49および電源基板50が取付板45および器具本体11を介してアース線28にアース接続される。
【００４６】
前面カバー14を器具本体11の前面側に取り付ける。
【００４７】
なお、設置時の任意の時点で、取付アーム15を設置場所に設置する。
【００４８】
このように構成された照明器具10は、屋外で使用され、例えば看板等の照明に用いられる。
【００４９】
そして、照明器具10に外部電源が供給されることにより、外部電源をサージアブソーバ基板49に入力するとともにこのサージアブソーバ基板49から電源基板50に送り、この電源基板50が外部電源を光源モジュール34に供給する所定の点灯電源に変換し、この電源基板50から光源モジュール34の発光素子37に点灯電源を供給する。これにより、光源モジュール34の各発光素子37が点灯し、各発光素子37からの光がレンズモジュール35および透光部64を通じて外部に出射される。
【００５０】
そして、本実施形態の照明器具10によれば、器具本体11の前面側から光源ユニット12および電源ユニット13を組み込むことができ、さらに、電源ユニット13が取付板45に電源部44を取り付けるとともにアース接続して一体化されており、この電源ユニット13を器具本体11の前面側から組み込み、取付板45を器具本体11の前面側からねじ止めすることにより、電源ユニット13を器具本体11に固定できると同時にアース接続もできるため、特別なアース接続の部品やアース接続作業が必要なく、効率的に組み立てることができ、組立性がよい。
【００５１】
また、電源部44は、別構成のサージアブソーバ基板49と電源基板50とを有する場合でも、これらサージアブソーバ基板49および電源基板50を取付板45に取り付けるとともにアース接続することにより、電源ユニット13として一体的に構成して器具本体11に組み込むことができ、組立性がよい。
【００５２】
また、図１に示すように、器具本体11内で上下方向に光源収容部20と電源収容部21とが並設されているとともに、電源収容部21の幅方向の一端側（図１左側）に外部配線25が挿通する外部配線挿通部26が設けられ、さらに、電源収容部21に配置される電源部44の幅方向の一端側（図１左側）に電源線27が接続される外部電源入力部47が設けられているとともに、電源部44の幅方向の他端側（図１右側）点灯電源出力部48が設けられ、さらに、光源収容部20に配置される光源ユニット12の幅方向の他端側（図１右側）に電源部44から点灯電源が供給される点灯電源入力部38が設けられている。そのため、図１に矢印で示すような電源の流れとなり、外部配線25と電源部44の外部電源入力部47との間、および、電源部44の点灯電源出力部48と光源ユニット12の点灯電源入力部38との間をそれぞれ最短で接続することができ、器具本体11内での配線構造を簡素化できるとともに配線へのノイズの影響を低減することができる。
【００５３】
さらに、電源部44は、別構成のサージアブソーバ基板49と電源基板50とを有する場合でも、幅方向の一端側（図１左側）にサージアブソーバ基板49を配置して、このサージアブソーバ基板49に外部電源入力部47を設け、電源基板50の幅方向の一端側（図１左側）をサージアブソーバ基板49に接続し、電源基板50の幅方向の他端側（図１右側）に点灯電源出力部48を設けることにより、器具本体11内での配線構造を簡素化できるとともに配線へのノイズの影響を低減することができる。
【００５４】
また、サージアブソーバ基板49のヒューズF1，F2の下流側の回路位置から送られる外部電源を電源基板50に入力しているため、つまり、ヒューズF1，F2を通った外部電源を電源基板50に入力しているため、電源基板50のヒューズを省略することができ、ヒューズの代わりにジャンパ線81が接続している。そのため、電源基板50は、サージアブソーバ基板49を必要としない他の照明器具に用いられる電源基板50と共用することができる。
【００５５】
さらに、外部電源である交流電源Ｅの活性側配線および非活性側配線の２線のそれぞれにヒューズF1，F2が接続されているため、サージアブソーバ基板49よりも後段では極性を考慮する必要がなく、配線を容易にできる。
【００５６】
次に、第２の実施形態を、図８を参照して説明する。
【００５７】
図８は照明器具10の電源部44の構成図である。
【００５８】
電源部44は、外部の制御装置から調光信号を入力し、光源モジュール34の発光素子の点灯を調光するように構成されている。
【００５９】
器具本体11の外部配線挿通部26に引き込まれる外部配線25には、電源線27およびアース線28とともに調光線（信号線）85が含まれている。
【００６０】
この場合、調光線85が接続される調光信号入力部86を有する調光用サージアブソーバ基板87が用いられる。この調光用サージアブソーバ基板87は、サージアブソーバ基板49と同様に構成されているが、制限電圧等は異なる値に設定されている。
【００６１】
調光用サージアブソーバ基板87は、サージアブソーバ基板49とともに電源部44の幅方向の一端側に配置され、サージアブソーバ基板49および電源基板50とともに取付板45に取り付けられるとともにアース接続される。
【００６２】
電源基板50の幅方向の一端側には、電源接続部54とともに、調光用サージアブソーバ基板87から出力される調光信号を入力するための調光接続部88が設けられている。
【００６３】
そして、第２の実施形態においても、調光信号の配線を最短で接続することができ、器具本体11内での配線構造を簡素化できるとともに配線へのノイズの影響を低減することができる。
【００６４】
なお、電源部44のサージアブソーバ基板49および電源基板50とは、一体に形成されていてもよい。また、屋内で使用する屋内用照明器具の場合には、電源部44は、サージアブソーバ基板49を備えず、電源基板50のみを備えていればよい。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
10    照明器具
11    器具本体
12    光源ユニット
20    光源収容部
21    電源収容部
25    外部配線
26    外部配線挿通部
27    電源線
38    点灯電源入力部
44    電源部
47    外部電源入力部
48    点灯電源出力部
49    サージアブソーバ基板
50    電源基板
51    サージアブソーバ回路
53    電源回路
80    ヒューズ実装位置
81    ジャンパ線
85    調光線
87    調光用サージアブソーバ基板
ａ    第１の方向
ｂ    第２の方向
F1，F2    ヒューズ
【図１】
2018133234.tif 000003
【図２】
2018133234.tif 000004
【図３】
2018133234.tif 000005
【図４】
2018133234.tif 000006
【図５】
2018133234.tif 000007
【図６】
2018133234.tif 000008
【図７】
2018133234.tif 000009
【図８】
2018133234.tif 000010